(57)【要約】【課題】窓２を大きくしなくても十分な換気性能が得られるとともに、開閉操作が容易で、構造も単純な窓２を設定することで、良好な屋根環境を得る。【解決手段】切妻屋根１のように妻面のある傾斜屋根を有し、前記妻面の頂部に窓２を備えた住宅であって、傾斜屋根の内部には屋根傾斜に沿って天井を有する室内空間が形成され、窓２は、下枠６と屋根の傾斜に沿った上部枠５のみからなる窓枠３と、窓枠３の形状に合致した障子４とを有し、前記障子４は全面が室外に向かって移動し得るように構成された。【選択図】図１
2006132211.tif 000002
【特許請求の範囲】
【請求項１】
妻面のある傾斜屋根を有し、前記妻面の頂部に窓を備えた住宅であって、前記傾斜屋根の内部には屋根傾斜に沿って天井を有する室内空間が形成され、前記窓は、下枠と屋根の傾斜に沿った上部枠のみからなる窓枠と、窓枠の形状に合致した障子とを有し、前記障子は全面が室外に向かって移動し得るように構成されたことを特徴とする住宅。
【請求項２】
妻面のある傾斜屋根を有し、前記妻面の頂部に窓を備えた住宅であって、前記傾斜屋根の内部には屋根傾斜に沿って天井を有する室内空間が形成され、前記窓は、下枠と屋根の傾斜に沿った上部枠とを有する窓枠と、前記窓枠の形状に合致した障子と、対向する枠の間に、橋渡し状に取り付けられた補助枠と、前記補助枠と前記障子との間に取り付けられた開閉機構とを有し、前記障子は全面が室外に向かって移動し得るように構成されたことを特徴とする住宅。
【請求項３】
前記対向する枠の間に橋渡し状に取り付けられた補助枠と、前記補助枠と前記障子との間に取り付けられたリンク開閉機構とを有し、前記障子は略平行を保って全面が室外に向かって移動し得るように構成されたことを特徴とする、請求項１又は２に記載の住宅。
【請求項４】
前記補助枠は補助縦枠として前記上部枠と下枠との間に橋渡し状に取り付けられ、前記障子は、１枚の採光板材と、前記採光板材の周囲を保持する框材と、前記補助枠に相対する位置に設けられた桟とからなり、前記桟は前記採光板材の面よりも内側の位置に、前記框材に橋渡し状に取り付けられたことを特徴とする、請求項１〜３のいずれかに記載の住宅。
【請求項５】
前記室内空間は、前記窓よりも同等又は下方に外気を取り入れる給気口を有するか、もしくは前記窓よりも下方に給気口を有する他の室内空間と連続したことを特徴とする、請求項１〜４のいずれかに記載の住宅。
【請求項６】
前記傾斜屋根が切妻屋根であることを特徴とする、請求項１〜５のいずれかに記載の住宅。
【発明の詳細な説明】
【技術分野】
【０００１】
本発明は、傾斜のある屋根、特に切妻の妻面の頂部に窓を有する住宅に関する。
【背景技術】
【０００２】
従来より住宅では、切妻屋根の傾斜に沿って傾斜天井を形成し、屋根裏の空間を屋根裏部屋あるいは収納部屋として利用したり、屋根裏の空間をその下部の居室と一体として、居室に上下方向の広がりを持たせることなどが行なわれてきた。
【０００３】
このような傾斜天井を有する居室において、換気扇や空調機器等の設備を用いることなく換気性能や火災時の排煙性能を確保したり、夏場の熱気を排出するためには、傾斜天井の頂部（すなわち切り妻屋根の妻面の頂部）に極力近い位置に換気や排煙上有効な開口面積を有する窓を設置することが好ましい。建築法規上も、傾斜天井の場合、平均の天井高さから所定寸法下方のラインよりも上方にある開口部が換気や排煙上有効な開口部であるとみなされる。
【０００４】
このため、切妻屋根の妻面の頂部に沿って窓を設置する例が増えている。たとえば、窓枠を縦部材により分割することにより、窓枠の内側に開閉しやすい形状の枠を区画形成し、その内側に開閉障子を設けることが行なわれている。そして、窓枠の縦部材と障子の縦框同士を蝶番やリンク機構などの開閉機構で連結するものが知られている（特許文献１参照）。また、三角形の窓枠の内部に同じ三角形の窓板を設け、窓板の底辺を中心にして上部が窓枠から室内側に離反するように回動させることにより開放させる技術も存在している（特許文献２参照）。
【特許文献１】特開平８−１９３３８０号公報
【特許文献２】実開平３−８７７８４号公報
【発明の開示】
【発明が解決しようとする課題】
【０００５】
ところが、特許文献１によれば、切妻屋根の妻面の頂部に沿って窓を設置する場合、窓枠と障子のそれぞれに縦部材（窓枠であれば縦枠、障子であれば縦框）を設け、それぞれの縦部材同士を蝶番やリンク機構などの開閉機構で連結する必要があった。すなわち、この垂直方向の窓枠（縦枠）は障子全体を支えるためのもので、強度上ある程度の長さと太さとが要求される。そのため、ほぼ三角形の窓を設置しても、窓枠を縦に３分割して中央部のみ、すなわち窓の一部を五角形の開閉窓として両側部は開閉のできない固定窓とせざるを得ず、十分に有効な開口部面積を確保できないことがあり、この場合に、十分な開口部面積を確保するためには、窓全体を過大なものにしなければならないという問題があった。
【０００６】
しかも、換気や排煙上できるだけ有効な開口部面積を妻面頂部の一定高さ以上に確保しようとするとき、このような縦枠を有する五角形の開口であると縦枠の両外側の直角三角形の部分が有効でなくなってしまう。
【０００７】
また、窓を複数に分割するために構成部材が増加して、製作作業の手間やコストが増大し住宅の建設費用を増大させるという問題や、建物の外観意匠上のノイズが増加し好ましくないという問題もある。
【０００８】
特許文献２の技術によれば、開放状態においても回動中心となる窓板の底辺は常に閉塞状態にあり、かつ室内側に回動するので換気や排煙の能力が十分でないという問題があった。
【０００９】
また、防虫用の網戸を設置する場合において、網戸位置を窓板の内側にすると、内開き状態の窓板と干渉しない位置まで網戸を後退する必要があり、室内の有効スペースが削減されてしまうという問題があり、網戸を窓板の外側にすると、窓板を開放しても天井面近くにわずかな隙間が形成されるのみで網戸の掃除がしづらく、網戸に付着した汚れにより換気性能が低下するという問題や、家屋の外観を損なうという問題があった。
【００１０】
このように、従来技術では、窓の一部分が開閉されるのみであるから、換気面積が小さく、換気効率も限定されたものにならざるを得ないという欠点があった。したがって、屋根裏部分を使用する場合、別途空調等の設備を設けなければならない場合もある。
【００１１】
本発明は前記問題点を解消し、妻面のある傾斜屋根を有し、前記妻面の頂部に窓を備えた住宅であって、窓を大きくしなくても十分な換気性能が得られるとともに、構造も単純であり、コストを低減することができ、かつ意匠的外観も優れた窓を設定することで、良好な屋根環境を得ることができる住宅を提供することをその課題とする。
【課題を解決するための手段】
【００１２】
前記課題を解決するため、請求項１に係る発明は、妻面のある傾斜屋根を有し、前記妻面の頂部に窓を備えた住宅であって、前記傾斜屋根の内部には屋根傾斜に沿って天井を有する室内空間が形成され、前記窓は、下枠と屋根の傾斜に沿った上部枠のみからなる窓枠と、窓枠の形状に合致した障子とを有し、前記障子は全面が室外に向かって移動し得るように構成されたことを特徴とする。
【００１３】
請求項２に係る発明は、妻面のある傾斜屋根を有し、前記妻面の頂部に窓を備えた住宅であって、前記傾斜屋根の内部には屋根傾斜に沿って天井を有する室内空間が形成され、前記窓は、下枠と屋根の傾斜に沿った上部枠とを有する窓枠と、前記窓枠の形状に合致した障子と、対向する枠の間に、橋渡し状に取り付けられた補助枠と、前記補助枠と前記障子との間に取り付けられた開閉機構とを有し、前記障子は全面が室外に向かって移動し得るように構成されたことを特徴とする。
【００１４】
請求項３に係る発明は、請求項１又は２において、前記対向する枠の間に橋渡し状に取り付けられた補助枠と、前記補助枠と前記障子との間に取り付けられたリンク開閉機構とを有し、前記障子は略平行を保って全面が室外に向かって移動し得るように構成されたことを特徴とする。
【００１５】
請求項４に係る発明は、請求項１〜３のいずれかにおいて、前記補助枠は補助縦枠として前記上部枠と下枠との間に橋渡し状に取り付けられ、前記障子は、１枚の採光板材と、前記採光板材の周囲を保持する框材と、前記補助枠に相対する位置に設けられた桟とからなり、前記桟は前記採光板材の面よりも内側の位置に、前記框材に橋渡し状に取り付けられたことを特徴とする。
【００１６】
請求項５に係る発明は、請求項１〜４のいずれかにおいて、前記室内空間は、前記窓よりも同等又は下方に外気を取り入れる給気口を有するか、もしくは前記窓よりも下方に給気口を有する他の室内空間と連続したことを特徴とする。
【００１７】
請求項６に係る発明は、請求項１〜５のいずれかにおいて、前記傾斜屋根が切妻屋根であることを特徴とする。
【発明の効果】
【００１８】
請求項１に係る発明によれば、障子は全面が室外に向かって移動し得るように構成されているので、障子の全周縁が窓枠から離隔することになるため、傾斜屋根内部に形成された傾斜天井を有する居室や収納部屋となる室内空間において、有効な換気、排煙面積が確保しやすくなり、従来技術に比べ小さな窓で、屋根裏の室内空間の温熱環境や火災時の安全性を向上することができる。
【００１９】
請求項２の発明によれば、傾斜のある屋根内部に形成された傾斜天井を有する室内空間（居室や収納部屋）において、窓枠の（障子の室内側に）開閉機構を備えた補助枠を有するので、窓枠の形状に関係なく全面開放（障子の全周縁が窓枠から離隔）が可能となり、有効な換気、排煙面積が確保しやすくなり、従来技術に比べ、小さな窓で住宅の屋根裏空間の温熱環境や火災時の安全性を向上することができる。また、縦枠がある場合には、縦枠の長さを極力短くすることが可能になった。
【００２０】
請求項３に係る発明によれば、補助枠に取り付けられたリンク開閉機構により平行に突き出す機構がシンプルになり、また窓の閉状態ではコンパクトになる。また、縦枠を有しない窓であっても、リンク部材を使用することができ、リンク機構に特別な設計の必要がない（一般的なものでも部材に無理な力がかからず強度と耐久性が得られる）。
【００２１】
請求項４に係る発明によれば、補助枠を補助縦枠とし、障子の框材には、上記補助縦枠に相対する位置に、採光板材面に接触しないように、桟を設けることで、１枚の採光板のみで採光面を構成することができ、外観がシンプルでデザイン性の優れた住宅を形成することができる。
【００２２】
また、リンク機構も縦に設置できるから、従来品の流用が可能となり、製作の手間やコストが低減でき、住宅の建設費用を抑えることができる。
【００２３】
請求項５に係る発明によれば、前記構成の窓と同等又はその下方で外気を取り入れる給気口とが連通するので、換気口となる窓の高さが相対的に高まる。このため、特に夏期の換気性能が向上し、屋根裏空間や、これに連続する室内空間の温熱環境をさらに向上させることができる。
【００２４】
上述のように、本発明によれば、その総合的効果として、次に示す点を挙げることができる。
（１）妻面の頂部のできるだけ高い位置に、従来に比べ小さい窓で有効開口面積を確保でき、効率的換気、排煙を可能にした。
（２）障子の全面、全周が窓枠から僅かに室外に突出することで有効開口面積がとれ、排気、排煙の効率アップを可能とした。
（３）全面障子で開閉可能という、従来にない窓により意匠性が向上する。
（４）構造がシンプルなのでコストが低く、接合部が少ないので防水性に優れる。
【００２５】
請求項６に係る発明によれば、上述の各種作用効果が最も効率的に発揮できる。
【発明を実施するための最良の形態】
【００２６】
本発明の実施形態を図１の住宅について説明する。上記住宅は切妻屋根１を有し、その妻面１ａの頂部には窓２が設置されている。切妻屋根１の内部には屋根傾斜に沿って斜め天井が形成された室内空間が形成されている。
【００２７】
上記窓２は妻面１ａに固定された窓枠３と障子４とから構成され、窓枠３の屋外側の周縁部は額縁状に形成され、その内側に障子４を嵌め合わせ状に装着して屋外側が全体として平面形状をなすように構成されている。
【００２８】
前記窓枠３は、図２〜図５に示されるように、屋根の下り傾斜に沿った２つの傾斜した上部枠５と、２つの上部枠５の下端を連結する下枠６とによって略二等辺三角形状に形成されている。上部枠５と下枠６は、それぞれ屋外側に面する側の金属枠部ａと屋内側に面する側の合成樹脂製樹脂枠部ｂとを結合してなるもので、金属枠部ａの外周にはさらに金属製の枠７ａ、７ｂが固定され、金属枠部ａの屋外側に突出して額縁状に形成されている。窓枠３は略二等辺三角形であり、これによりで住宅の開口部の躯体構造材８に固定することができる。
【００２９】
障子４は、詳しくは図５に示されるように、１枚の採光板材（ガラス板）９の周囲を保持する金属製の框材、つまり左右に斜めに配置された２つの傾斜した上部框１０と下框１１とを框組みすることによって全体の外形が窓枠３の形状に合致した二等辺三角形状に構成されている。
【００３０】
上記窓枠３の樹脂枠部ｂは、障子４の框材の屋内側見付面を覆うように形成され、これによって断熱を確保している。
【００３１】
障子４は適宜の開閉機構１２により略平行を保って全面が室外に向かって移動し得るように構成されている。このように移動して開閉するための開閉機構１２として、たとえば図６に示されるような、複数のステー１２ａ、１２ｂを連結した公知のリンク開閉機構２１を利用すればよい。すなわち、窓枠３の各上部枠５と障子４の各上部框１０および窓枠３の下枠６と障子４の下框１１において、枠材に一方のステー１２ａ、框材に他方のステー１２ａを固定することにより、窓枠３と障子４とを３つのリンク開閉機構２１を介して連結すればよい。そして、１つのリンク開閉機構を手動又は電動で作動させ、この作動に他のリンク開閉機構も従動させることにより、障子全体を屋外側に水平方向に移動して窓２を開閉させることができる。なお、開閉機構は必ずしもリンク機構を利用したものに限定されない。
【００３２】
上記構成の住宅によれば、窓は屋内の空気を排出しやすい妻面頂部に設けられ、障子４の全面が室外に向かって移動し得るように構成されているから、障子の全周縁が窓枠から離隔することになるため、切妻屋根内部に形成された傾斜天井を有する室内空間において、有効な換気、排煙面積が確保しやすくなり、従来技術に比べ小さな窓２で、屋根裏の室内空間の温熱環境や火災時の安全性を向上することができる。
【００３３】
また、開口部の外形形状が制限されることなく自由な形状の窓２の全面を一体として開閉することができる。
【００３４】
さらに、窓枠３の一部を区画して形成した開口部を開閉する場合に比べ、障子４が単一で構成が単純になるため、部材点数および組立工数が削減でき、良質な住宅を購買しやすい価格で提供できる。
【００３５】
さらに、サッシの外観がシンプルとなるため、意匠的に優れた開口部を提供することができる。
【００３６】
次に、図７は図１に示したものと同じ構成の窓枠３の２辺のそれぞれの室内側（障子より室内側）に中ほどから下方に縦方向の垂直補助枠、つまり補助縦枠１３を設けた住宅の例である。
【００３７】
上記住宅は切妻屋根１を有し、その妻面１ａの頂部には窓２が設置されている。切妻屋根１の内部には屋根傾斜に沿って斜め天井が形成された室内空間が形成されている。
【００３８】
窓２は妻面に固定された窓枠３と障子４とから構成され、窓枠３の屋外側の周縁部は額縁状に形成され、その内側に障子４を嵌め合わせ状に装着して屋外側が全体として平面形状をなすように構成されている。
【００３９】
前記窓枠３は、図８〜図１０に示されるように、屋根の下り傾斜に沿った２つの傾斜した上部枠５と、２つの上部枠５の下端を連結する下枠６とによって略二等辺三角形状に形成されている。上部枠５と下枠６は、それぞれ屋外側に面する側の金属枠部ａと屋内側に面する側の合成樹脂製樹脂枠部ｂとを結合してなるもので、金属枠部ａの外周にはさらに金属製の枠受け材７ａ、７ｂが固定され、金属枠部ａの屋外側に突出して額縁状に形成されている。
【００４０】
上記窓枠３の樹脂枠部ｂは、障子４の閉鎖時には、障子４の框材の屋内側見付面を覆い、断熱を確保している。
【００４１】
次に、前記窓枠３の内側には、図８〜図１１に示されるように、対向する上部枠５と下枠６の間に垂直に対向する1対の補助縦枠１３が橋渡し状に設けられている。上記補助縦枠１３は金属本体１３ａと樹脂カバー１３ｂとから構成され、金属本体１３ａは窓枠３の上部枠５と下枠６に適宜の取付金具（図示せず）を介してネジ止め固定されている。樹脂カバー１３ｂは図１０および図１４に示されるように、断面コ字形で、屋内側から嵌め込んでねじ止めすることによって取り付けられている。
【００４２】
これに対し、障子４は、詳しくは図１２に示されるように、金属製の框材、つまり左右に斜めに配置された上部框１０と下框１１とを框組みすることによって全体の外形が窓枠３と同じ二等辺三角形状に構成されている。
【００４３】
また、図９、図１０、図１２および図１３に示されるように、障子４の対向する上部框１０と下框１１との間には垂直に対向する1対の縦桟１４が橋渡し状に設けられている。すなわち、縦桟１４は上下部が板状に形成され、中間部には中空部１５が形成されている。なお、図１３のように、縦桟１４の上下端１４ａ、１４ｂはそれぞれ上部框１０および下框１１の屋内側に形成された嵌合溝１６、１７に嵌合され、さらにネジ１８によって固定されている。なお、縦桟１４の下端は詰め物１９とともに嵌合溝１７内に嵌め込まれている。
【００４４】
なお、障子４の縦桟１４と窓枠３の補助縦枠１３とは互いに相対する位置に設けられ、障子４の閉鎖時には縦桟１４は補助縦枠１３の内側に納まるように構成されている。
【００４５】
上記補助縦枠１３と縦桟１４とは複数のステーからなるリンク開閉機構２１を介して連結されている。リンク開閉機構２１は図１０に示されるように、補助縦枠１３の内側に配置され、補助縦枠１３と縦桟１４の中空部１５とに連結されている。金属下枠６と下框１１もリンク開閉機構２１を介して連結されている。リンク開閉機構２１は障子４を水平方向に平行移動できる機構を有する公知のものを使用すればよい。
【００４６】
なお、補助縦枠１３と縦桟１４とを利用できる開閉機構であれば足り、必ずしもリンク開閉機構には限定されない。
【００４７】
上記構成において、屋内側からハンドル２２を操作してリンク開閉機構２１を作動させることにより、障子４の全面を図１１のように屋外側に向かって略平行を保って移動して開き又は閉じ作動することができ、障子の全周縁が窓枠から離隔する。
【００４８】
上述の構成によれば、特に夏の夕方に窓２を開けることにより切妻屋根１の小屋裏階空間に溜まった熱気は通風効果により排出され、外気が屋内に導入されるので、屋内の温熱環境を外気に同調させることができる。実際に、図７に示す窓とＦＩＸ窓（嵌め殺し窓）とで屋内温度をシミュレーションにより比較すると、次のようになる。
【００４９】
ＦＩＸ窓の場合、日射により建物内部を暖めた熱は排出できないため、
午後、外気温３２．３℃のとき屋内温度は３８．６℃
夜間、外気温２６．４℃のとき屋内温度は３４．６℃
となった。
【００５０】
これに対し、本発明窓の場合、通風量４００ｍ３／ｈ、平均風速２ｍ／ｓとして午後から夜にかけて窓２を開けると、
午後、外気温３２．３℃のとき屋内温度は３３．３℃
夜間、外気温２６．４℃のとき屋内温度は２７．７℃
となった。
【００５１】
このように、窓２を開けることにより室内は外気温に同調し、全体に温度が下がることが確認された。
【００５２】
上記構成によれば、切妻屋根１内部に形成された傾斜天井を有する室内空間において、窓枠３に補助縦枠１３を有するので、補助縦枠１３と障子４との間にリンク開閉機構２１を取り付けることにより障子４を開閉させることができ、窓枠３の形状に関係なく全面開放が可能となり、十分な換気性能、排煙面積が確保しやすくなり、従来技術に比べ、小さな窓２で住宅の屋根裏空間の温熱環境や火災時の安全性を向上することができる。
【００５３】
しかも、補助縦枠１３は切妻屋根１の下り傾斜に沿った２つの上部枠５の中間に設ければよいので、短い補助縦枠１３で対応することができる。しかも、補助縦枠１３の追加によって窓枠３が補強される。
【００５４】
また、補助縦枠１３と縦桟１４に取り付けられたリンク開閉機構２１により平行にわずかに突き出すだけで障子４の全面開放が可能となるので、大きな換気、排煙能力が得られる。また、縦枠を有しない窓であっても、リンク部材を縦に使用することができ、リンク開閉機構２１に特別な設計の必要がなく、一般的なものでも部材に無理な力がかからず強度と耐久性が得られる。
【００５５】
また、従来のように窓枠３の一部にわざわざ矩形の開口部を区画形成して開閉する場合に比べ、障子４が単一で、構造が単純になるため、部材点数および組立工数が削減でき、シンプルで意匠的に優れた開口部を備えた良質な住宅を購買しやすい価格で提供できる。
【００５６】
さらに、障子の框材に、ガラス面に接触しないように桟を設けることで、１枚のガラス板のみで採光面を構成することができ、外観がシンプルでデザイン性の優れた住宅を形成することができる。
【００５７】
しかも、三角窓２にリンク開閉機構２１を使用することで、構成部材を減らすことができ、またリンク開閉機構も縦に設置でき従来品の流用が可能となり、製作の手間やコストが低減でき、住宅の建設費用を抑えることができる。
【００５８】
なお、互いに対向する縦桟１４と補助縦枠１３は３個又はそれ以上であってもよい。
【００５９】
次に、図１５は図１および図７に示した住宅と同じく、切妻屋根の妻面の頂部に設置された窓を示すもので、この窓２は妻面に固定された窓枠３と障子４とから構成され、屋根の傾斜に沿った上部枠５と、上部枠５の先端から垂直に設けられた縦枠２４と縦枠２４の下端を連結する下枠６とから略五角形に形成されている。
【００６０】
障子４は上部框１０と縦框２５と下框１１とにより窓枠３の形状に合致した略五角形状に形成されている。
【００６１】
この場合にも、下枠６と上部枠５との間に、必要に応じて、補助縦枠１３が縦方向に橋渡し状に取り付け、補助縦枠１３と障子４との間にリンク開閉機構を設け、障子４を全面が室外に向かって移動し得るように構成することができる。
【００６２】
上記構成のように、補助材を設けることで、三角形状ではなく、両側にすこしだけ縦枠２４を設けたような場合にも、上述と同じ効果を期待することができる。すなわち、縦枠の長さを極力短くすることが可能になった。
【００６３】
以上詳しく説明したように、上述の実施形態によれば、次に示す共通の効果を得ることができる。
（１）妻面の頂部のできるだけ高い位置に、従来に比べ小さい窓で有効開口面積を確保でき、効率的換気、排煙を可能にした。
（２）障子の全面、全周が窓枠から僅かに室外に突出することで有効開口面積がとれ、排気、排煙の効率アップを可能とした。
（３）全面障子で開閉可能という、従来にない窓により意匠性が向上する。
（４）構造がシンプルなのでコストが低く、接合部が少ないので防水性に優れる。
【００６４】
なお、上述の実施形態において、補助枠は補助縦枠に限定されない。例えば補助横枠でもよい。この場合、補助横枠は対向する両側の上部枠の間に設けられることになる。障子も同様である。
【００６５】
なお、上述した各窓２の屋内側の小屋裏階空間（居室や収納部屋等）と同等又はその下階の空間とを吹き抜き等を介して一体化することも可能であり、これにより、上記窓２が下階空間で外気を取り入れる給気口（窓を含む）と連通するので、換気口となる窓２の高さが相対的に高まることで、効率の高い換気を実現し、下階を含めた居住空間の屋内環境をより改善し、建物の居住性を高めることができる。上記窓２よりも下方に外気を取り入れる給気口（図示せず）を形成する構成でもよい。
【００６６】
また、住宅は、妻面のある傾斜屋根を有し、前記妻面の頂部に窓を備えたものであればよく、必ずしも切妻屋根に限定されない。例えば、図１６（ａ）のように、ドーム形状の屋根１Ａに上部枠５が円弧状に形成された窓２ａを設置したもの、同図（ｂ）のように、マンサード屋根１Ｂに上部枠５の一部が折曲した五角形状の窓２ｂを設置したもの、同図（ｃ）のように、一部がフラットな屋根１Ｃに台形状の窓２ｃを設置したもの、あるいは同図（ｄ）のように、屋根の一部が折曲された変形切妻屋根１Ｄに、この屋根形状に合致した窓２ｄを設置したものなどにも適用することができる。
【図面の簡単な説明】
【００６７】
【図１】切妻部に窓を設けた住宅の斜視図である。
【図２】上記窓の内観図である。
【図３】図２のＡ−Ａ線上の断面図である。
【図４】図２のＢ−Ｂ線上の断面図である。
【図５】障子を開いた状態の斜視図である。
【図６】開閉機構の一例の斜視図である。
【図７】切妻部に窓を設けた他の住宅の斜視図である。
【図８】上記窓の内観図である。
【図９】図２のｃ−ｃ線上の断面図である。
【図１０】図２のｄ−ｄ線上の断面図である。
【図１１】障子を開いた状態の斜視図である。
【図１２】障子の一部分解斜視図である。
【図１３】縦桟の取付態様説明図である。
【図１４】窓枠の補助縦枠の取付態様説明図である。
【図１５】の他の例の正面図である。
【図１６】（ａ）（ｂ）（ｃ）（ｄ）はそれぞれ屋根と窓の例の概要正面図である。
【符号の説明】
【００６８】
３    窓枠
４    障子
５    上部枠
６    下枠
１３    補助縦枠
１４    縦桟
２１    リンク開閉機構
【図１】
2006132211.tif 000003
【図２】
2006132211.tif 000004
【図３】
2006132211.tif 000005
【図４】
2006132211.tif 000006
【図５】
2006132211.tif 000007
【図６】
2006132211.tif 000008
【図７】
2006132211.tif 000009
【図８】
2006132211.tif 000010
【図９】
2006132211.tif 000011
【図１０】
2006132211.tif 000012
【図１１】
2006132211.tif 000013
【図１２】
2006132211.tif 000014
【図１３】
2006132211.tif 000015
【図１４】
2006132211.tif 000016
【図１５】
2006132211.tif 000017
【図１６】
2006132211.tif 000018